(57)【要約】  通信機器は、ライセンスド周波数帯物理チャネル構造（ライセンスド構造）を用いて、ライセンスド周波数帯内で通信を行い、アンライセンスド周波数帯物理チャネル構造（アンライセンスド構造）を用いて、アンライセンスド周波数帯内で通信を行い、アンライセンスド構造は、ライセンスド構造のものと少なくとも同じシンボル時間及びサブキャリア周波数分割を含む。シンボル時間及びサブキャリアは、複数の時間−周波数通信リソースエレメントを形成する。シンボル時間とサブキャリア周波数分割とのセットは、ライセンスド構造内の参照信号伝送に割り当てられる通信リソースエレメントのライセンスド参照サブセットを形成する。シンボル時間とサブキャリア周波数分割との同セットは、アンライセンスド構造内の参照信号伝送に割り当てられる通信リソースエレメントのアンライセンスド参照サブセットを形成する。
2017520151.tif 000002
【特許請求の範囲】
【請求項１】
ライセンスド物理チャネル構造を用いてライセンスド周波数帯内で第１の信号を通信機器から送信することであって、前記ライセンスド物理チャネル構造は、複数のシンボル時間と、前記ライセンスド周波数帯を分割する複数のサブキャリア分割と、から形成される第１の複数の時間−周波数通信リソースエレメントを含む、ことと、
アンライセンスド物理チャネル構造を用いてアンライセンスド周波数帯内で第２の信号を前記通信機器から送信することであって、前記アンライセンスド物理チャネル構造は、前記複数のシンボル時間と、前記アンライセンスド周波数帯を分割する前記複数のサブキャリア分割と、から形成される第２の複数の時間−周波数通信リソースを含む、ことと、を含む、方法。
【請求項２】
前記ライセンスド物理チャネル構造は、参照信号の送信用に割り当てられた時間−周波数通信ブロックの第１の参照信号セットと、データの送信用に割り当てられた時間−周波数通信ブロックの第１のデータ信号セットと、を含み、
前記アンライセンスド物理チャネル構造は、参照信号の送信用に割り当てられた時間−周波数通信ブロックの第２の参照信号セットと、データの送信用に割り当てられた時間−周波数通信リソースの第２のデータ信号セットと、を含み、
前記第２の参照信号セットは、前記第１の参照信号セットと同じシンボル時間を有し、前記第２のデータ信号セットは、前記第１のデータ信号セットと同じシンボル時間を有する、請求項１に記載の方法。
【請求項３】
ライセンスド物理チャネル構造を用いて前記ライセンスド周波数帯内で前記第１の信号を送信することは、前記第１の信号を、前記ライセンスド物理チャネル構造の１つ又はそれ以上の時間−周波数通信リソースエレメントを介して送信することを含み、
前記アンライセンスド物理チャネル構造を用いて前記アンライセンスド周波数帯内で前記第２の信号を送信することは、前記第２の信号を、前記アンライセンスド物理チャネル構造の１つ又はそれ以上の時間−周波数通信リソースを介して送信することを含み、
前記ライセンスド物理チャネル構造の前記１つ又はそれ以上の時間−周波数通信リソースエレメントのうち少なくとも１つは、前記アンライセンスド物理チャネル構造の前記１つ又はそれ以上の時間−周波数通信リソースエレメントのうち前記少なくとも１つとは異なる、請求項２に記載の方法。
【請求項４】
前記アンライセンスド物理チャネル構造は、前記アンライセンスド周波数帯の監視用に割り当てられた時間−周波数通信リソースのチャネルアクセス管理セットを含み、
前記チャネルアクセス管理セットは、少なくとも１つのシンボル時間の持続時間を有し、
前記方法は、前記持続時間のうち少なくとも一部分の間、前記アンライセンスド周波数帯を監視することを更に含む、請求項３に記載の方法。
【請求項５】
前記持続時間内のバックオフ期間中、前記第２の信号の送信を控えることを更に含む、請求項４に記載の方法。
【請求項６】
前記アンライセンスド物理チャネル構造は、プリアンブルの送信用に割り当てられた時間−周波数通信リソースのプリアンブルセットを更に含み、前記時間−周波数通信リソースのプリアンブルセットは、前記時間−周波数通信リソースのチャネルアクセス管理セットと前記時間−周波数通信リソースの第２のデータ信号セットとの間にある、請求項３に記載の方法。
【請求項７】
前記通信機器は、ｅＮｏｄｅ  Ｂ（ｅＮＢ）であり、前記ライセンスド物理チャネル構造は、第３世代パートナシッププロジェクト・ロング・ターム・エボリューション（３ＧＰＰ  ＬＴＥ）通信仕様のうち少なくとも１つの改訂版に準拠している下りリンク物理チャネル構造である、請求項３に記載の方法。
【請求項８】
前記下りリンク物理チャネル構造は、下りリンク制御情報の送信用に割り当てられた時間−周波数通信リソースの物理下りリンク制御チャネル（ＰＤＣＣＨ）セットを含み、前記ＰＤＣＣＨセットは、ＰＤＣＣＨシンボル時間によって形成され、
前記時間−周波数通信リソースのチャネルアクセス管理セットは、前記ＰＤＣＣＨシンボル時間のうち少なくとも１つによって形成されている、請求項７に記載の方法。
【請求項９】
前記アンライセンスド物理チャネル構造は、他の下りリンク制御情報の送信用に割り当てられた時間−周波数通信リソースの制御セットを更に含む、請求項８に記載の方法。
【請求項１０】
前記通信機器は、ユーザ機器（ＵＥ）装置であり、前記ライセンスド物理チャネル構造は、第３世代パートナシッププロジェクト・ロング・ターム・エボリューション（３ＧＰＰ  ＬＴＥ）通信仕様のうち少なくとも１つの改訂版に準拠している上りリンク物理チャネル構造である、請求項３に記載の方法。
【請求項１１】
前記上りリンク物理チャネル構造は、上りリンク制御情報の送信用に割り当てられた時間−周波数通信リソースの物理上りリンク制御チャネル（ＰＵＣＣＨ）セットを含み、前記ＰＵＣＣＨセットは、ＰＵＣＣＨシンボル時間によって形成され、
前記時間−周波数通信リソースのチャネルアクセス管理セットは、前記ＰＵＣＣＨシンボル時間のうち少なくとも１つによって形成されている、請求項１０に記載の方法。
【請求項１２】
前記アンライセンスド物理チャネル構造は、他の上りリンク制御情報の送信用に割り当てられた時間−周波数通信リソースの制御セットを更に含む、請求項１１に記載の方法。
【請求項１３】
前記アンライセンスド物理チャネル構造は、サウンド参照信号（ＳＲＳ）の送信用に割り当てられた時間−周波数通信リソースのＳＲＳセットを含む、請求項１０に記載の方法。
【請求項１４】
ライセンスド物理チャネル構造を用いてライセンスド周波数帯内で第１の信号を送信するように構成されている第１の送信部であって、前記ライセンスド物理チャネル構造は、複数のシンボル時間と、前記ライセンスド周波数帯を分割する複数のサブキャリア分割と、から形成される第１の複数の時間−周波数通信リソースエレメントを含む、第１の送信部と、
アンライセンスド物理チャネル構造を用いてアンライセンスド周波数帯内で第２の信号を送信するように構成されている第１の送信部であって、前記アンライセンスド物理チャネル構造は、前記複数のシンボル時間と、前記アンライセンスド周波数帯を分割する前記複数のサブキャリア分割と、から形成される第２の複数の時間−周波数通信リソースを含む、第１の送信部と、を備える、ユーザ機器（ＵＥ）装置。
【請求項１５】
前記ライセンスド物理チャネル構造は、参照信号の送信用に割り当てられた時間−周波数通信ブロックの第１の参照信号セットと、データの送信用に割り当てられた時間−周波数通信ブロックの第１のデータ信号セットと、を含み、
前記アンライセンスド物理チャネル構造は、参照信号の送信用に割り当てられた時間−周波数通信ブロックの第２の参照信号セットと、データの送信用に割り当てられた時間−周波数通信リソースの第２のデータ信号セットと、を含み、前記第２の参照信号セットは、前記第１の参照信号セットと同じシンボル時間を有し、前記第２のデータ信号セットは、前記第１のデータ信号セットと同じシンボル時間を有する、請求項１４に記載のＵＥ装置。
【請求項１６】
前記第１の送信部は、ライセンスド物理チャネル構造を用いて前記ライセンスド周波数帯内で前記第１の信号を送信するように構成され、前記第１の信号を、前記ライセンスド物理チャネル構造の１つ又はそれ以上の時間−周波数通信リソースエレメントを介して送信することを含み、前記第２の送信部は、前記アンライセンスド物理チャネル構造を用いて前記アンライセンスド周波数帯内で前記第２の信号を送信するように構成され、前記第２の信号を、前記アンライセンスド物理チャネル構造の１つ又はそれ以上の時間−周波数通信リソースを介して送信することを含み、前記ライセンスド物理チャネル構造の前記１つ又はそれ以上の時間−周波数通信リソースエレメントのうち少なくとも１つは、前記アンライセンスド物理チャネル構造の前記１つ又はそれ以上の時間−周波数通信リソースエレメントのうち前記少なくとも１つとは異なる、請求項１５に記載のＵＥ装置。
【請求項１７】
前記アンライセンスド物理チャネル構造は、前記アンライセンスド周波数帯の監視用に割り当てられた時間−周波数通信リソースのチャネルアクセス管理セットを含み、前記チャネルアクセス管理セットは、少なくとも１つのシンボル時間の持続時間を有し、前記持続時間のうち少なくとも一部分の間、前記アンライセンスド周波数帯を監視することを更に含む、請求項１６に記載のＵＥ装置。
【請求項１８】
ライセンスド物理チャネル構造を用いてライセンスド周波数帯内で第１の信号を送信するように構成されている第１の送信部であって、前記ライセンスド物理チャネル構造は、複数のシンボル時間と、前記ライセンスド周波数帯を分割する複数のサブキャリア分割と、から形成される第１の複数の時間−周波数通信リソースエレメントを含む、第１の送信部と、
アンライセンスド物理チャネル構造を用いてアンライセンスド周波数帯内で第２の信号を送信するように構成されている第１の送信部であって、前記アンライセンスド物理チャネル構造は、前記複数のシンボル時間と、前記アンライセンスド周波数帯を分割する前記複数のサブキャリア分割と、から形成される第２の複数の時間−周波数通信リソースを含む、第１の送信部と、を備える、ｅＮＢ。
【請求項１９】
前記ライセンスド物理チャネル構造は、参照信号の送信用に割り当てられた時間−周波数通信ブロックの第１の参照信号セットと、データの送信用に割り当てられた時間−周波数通信ブロックの第１のデータ信号セットと、を含み、
前記アンライセンスド物理チャネル構造は、参照信号の送信用に割り当てられた時間−周波数通信ブロックの第２の参照信号セットと、データの送信用に割り当てられた時間−周波数通信リソースの第２のデータ信号セットと、を含み、前記第２の参照信号セットは、前記第１の参照信号セットと同じシンボル時間を有し、前記第２のデータ信号セットは、前記第１のデータ信号セットと同じシンボル時間を有する、請求項１８に記載のｅＮＢ。
【請求項２０】
前記第１の送信部は、ライセンスド物理チャネル構造を用いて前記ライセンスド周波数帯内で前記第１の信号を送信するように構成され、前記第１の信号を、前記ライセンスド物理チャネル構造の１つ又はそれ以上の時間−周波数通信リソースエレメントを介して送信することを含み、前記第２の送信部は、前記アンライセンスド物理チャネル構造を用いて前記アンライセンスド周波数帯内で前記第２の信号を送信するように構成され、前記第２の信号を、前記アンライセンスド物理チャネル構造の１つ又はそれ以上の時間−周波数通信リソースを介して送信することを含み、前記ライセンスド物理チャネル構造の前記１つ又はそれ以上の時間−周波数通信リソースエレメントのうち少なくとも１つは、前記アンライセンスド物理チャネル構造の前記１つ又はそれ以上の時間−周波数通信リソースエレメントのうち前記少なくとも１つとは異なる、請求項１９に記載のｅＮＢ。
【請求項２１】
前記アンライセンスド物理チャネル構造は、前記アンライセンスド周波数帯の監視用に割り当てられた時間−周波数通信リソースのチャネルアクセス管理セットを含み、前記チャネルアクセス管理セットは、少なくとも１つのシンボル時間の持続時間を有し、前記持続時間のうち少なくとも一部分の間、前記アンライセンスド周波数帯を監視することを更に含む、請求項２０に記載のｅＮＢ。
【発明の詳細な説明】
【優先権の主張】
【０００１】
本出願は、本出願の譲受人に譲受され、その全体が参照により明示的に本明細書に援用されている、２０１４年５月２２日出願の整理番号ＴＰＲＯ  ００２４３  ＵＳの「アンライセンスド帯域のリソースを予約するための方法（ＭＥＴＨＯＤＳ  ＯＦ  ＲＥＳＥＲＶＩＮＧ  ＲＥＳＯＵＲＣＥＳ  ＯＮ  ＵＮＬＩＣＥＮＳＥＤ  ＢＡＮＤ）」と題される仮特許出願第６２／００２，０３７と、２０１４年５月２２日出願の整理番号ＴＰＲＯ  ００２５０  ＵＳの「アンライセンスド帯域でのＬＴＥ送信をコーディネートする方法（ＭＥＴＨＯＤＳ  ＯＦ  ＣＯＯＲＤＩＮＡＴＩＮＧ  ＬＴＥ  ＴＲＡＮＳＭＩＳＳＩＯＮＳ  ＯＮ  ＵＮＬＩＣＥＮＳＥＤ  ＢＡＮＤＳ）」と題される仮特許出願第６２／００２，０４１と、の優先権を主張するものである。
【関連特許出願】
【０００２】
本出願の請求項は、本出願の譲受人に譲受され、その全体が参照により明示的に本明細書に援用されている、本出願と同時に出願される、整理番号ＴＵＴＬ  ０００２４３  ＰＣの「ライセンスド周波数帯タイミングを用いるアンライセンスド周波数帯（ＵＮＬＩＣＥＮＳＥＤ  ＦＲＥＱＵＥＮＣＹ  ＢＡＮＤ  ＷＩＴＨ  ＬＩＣＥＮＳＥＤ  ＦＲＥＱＵＥＮＣＹ  ＢＡＮＤ  ＴＩＭＩＮＧ）」と題されるＰＣＴ特許出願と、整理番号ＴＵＴＬ  ０００２４４  ＰＣの「アンライセンスド周波数帯における装置間（Ｄ２Ｄ）通信のための通信リソースのケジューリング（ＣＯＭＭＵＮＩＣＡＴＩＯＮ  ＲＥＳＯＵＲＣＥ  ＳＣＨＥＤＵＬＩＮＧ  ＦＯＲ  ＤＥＶＩＣＥ−ＴＯ−ＤＥＶＩＣＥ  （Ｄ２Ｄ）  ＣＯＭＭＵＮＩＣＡＴＩＯＮ  ＩＮ  ＡＮ  ＵＮＬＩＣＥＮＳＥＤ  ＦＲＥＱＵＥＮＣＹ  ＢＡＮＤ）」と題されるＰＣＴ特許出願と、整理番号ＴＵＴＬ  ０００２５０  ＰＣの「ライセンスド周波数帯において動作する装置に対してアンライセンスド周波数帯における通信リソースの割当（ＡＳＳＩＧＮＭＥＮＴ  ＯＦ  ＣＯＭＭＵＮＩＣＡＴＩＯＮ  ＲＥＳＯＵＲＣＥＳ  ＩＮ  ＡＮ  ＵＮＬＩＣＥＮＳＥＤ  ＦＲＥＱＵＥＮＣＹ  ＢＡＮＤ  ＴＯ  ＥＱＵＩＰＭＥＮＴ  ＯＰＥＲＡＴＩＮＧ  ＩＮ  Ａ  ＬＩＣＥＮＳＥＤ  ＦＲＥＱＵＥＮＣＹ  ＢＡＮＤ）」と題されるＰＣＴ特許出願と、に関する。
【技術分野】
【０００３】
本発明は、概して、無線通信に関し、更に具体的には、ライセンスド周波数帯タイミングを用いるアンライセンスド周波数帯における通信のための物理チャネル構造に関する。
【背景技術】
【０００４】
多くの通信システムは、装置間の通信を管理するために、タイミング構造を適用している。時間は、通信機器がタイミングを送受信に適用する任意の数のユニット又はサブユニット内で定義することができる。例えば、いくつかのシステムでは、時間を、少なくともフレーム、サブフレーム、タイムスロット、及びシンボル時間に分割して、物理チャネルタイミング構造を形成する。物理チャネル構造はまた、利用可能な周波数帯域幅を分割し、組織化することを含む。その結果、定義された物理チャネル構造は、典型的には、周波数及び時間リソースをユニット及びサブユニットに分割し、時間−周波数通信リソースの効率的な管理及び使用を実現することを含む。
【０００５】
特定の通信システムにより使用される周波数スペクトルは、ライセンスが付与されていても、されていなくてもよい。ライセンスド周波数スペクトル（周波数帯）は、米国連邦通信委員会（ＦＣＣ）などの政府機関により、システムオペレータに対してライセンスが付与されている。こうしたライセンスドスペクトルの一例としては、セルラ通信に使用される周波数帯が挙げられる。アンライセンスド周波数帯は、アンライセンスド周波数帯により通信を行うにあたって政府機関からのライセンスを必要としない周波数スペクトルの任意の部分である。しかしながら、アンライセンスド周波数帯内で動作する機器は、典型的には、規制及び／又は通信規格を固守する必要がある。アンライセンスド周波数スペクトルの一例としては、米国電気電子学会（ＩＥＥＥ）８０２．１１通信に使用される周波数帯が挙げられる。
【発明の概要】
【０００６】
通信機器は、ライセンスド周波数帯物理チャネル構造（ライセンスド構造）を用いて、ライセンスド周波数帯内で通信を行い、アンライセンスド周波数帯物理チャネル構造（アンライセンスド構造）を用いて、アンライセンスド周波数帯内で通信を行い、アンライセンスド構造は、ライセンスド構造のものと少なくとも同じシンボル時間及びサブキャリア周波数分割を含む。シンボル時間及びサブキャリアは、複数の時間−周波数通信リソースエレメントを形成する。シンボル時間とサブキャリア周波数分割とのセットは、ライセンスド構造内の参照信号伝送に割り当てられる通信リソースエレメントのライセンスド参照サブセットを形成する。シンボル時間とサブキャリア周波数分割との同セットは、アンライセンスド構造内の参照信号伝送に割り当てられる通信リソースエレメントのアンライセンスド参照サブセットを形成する。
【図面の簡単な説明】
【０００７】
図１は、通信設備がアンライセンスド周波数帯を用いて通信を行うライセンスドサービスエリアを有するライセンスド通信システムのブロック図である。
【０００８】
図２は、図１のＵＥ装置のうちの１つとして使用するのに好適なＵＥ装置の一例のブロック図である。
【０００９】
図３は、図１のｅＮＢとして使用するのに好適なｅＮＢの一例のブロック図である。
【００１０】
図４は、少なくともフレーム、サブフレーム、タイムスロット、及びシンボル時間（期間）を含むタイミング構造を示す図である。
【００１１】
図５Ａは、ライセンスド周波数帯内でライセンスドシステム（ライセンスド機器）が使用するタイミング及びタイミング構造が、アンライセンスド周波数帯内での通信に使用される、アンライセンスド周波数帯及びライセンスド周波数帯を示す図である。
【００１２】
図５Ｂは、ライセンスド周波数帯内のライセンスドシステムが使用するタイミング及びタイミング構造が、アンライセンスド周波数帯内での通信に使用され、アンライセンスド周波数帯内のタイミング構造が、ライセンスド周波数帯のタイミング構造からずれている、アンライセンスド周波数帯及びライセンスド周波数を示す図である。
【００１３】
図６は、タイミング構造内の単一のタイムスロットの周波数構造を示す図である。
【００１４】
図７は、ライセンスド周波数帯内のライセンスド物理チャネル構造のサブフレーム及びアンライセンスド周波数帯内のアンライセンスド物理チャネル構造のサブフレームを示す図である。
【００１５】
図８は、アンライセンスド下りリンク物理チャネル構造の一部分の一例を示す図である。
【００１６】
図９は、検知／バックオフ期間後、第１のシンボルがデータを含む例のアンライセンスド下りリンク物理チャネル構造の第１のシンボルを示す図である。
【００１７】
図１０は、アンライセンスド上りリンク物理チャネル構造の一例の一部分を示す図である。
【００１８】
図１１は、ライセンスド機器が、アンライセンスド周波数帯で、アンライセンスド下りリンク物理チャネル構造を用いてデータを送信する一例に関するメッセージダイアグラムである。
【００１９】
図１２は、ライセンスド機器が、アンライセンスド周波数帯で、アンライセンスド上りリンク物理チャネル構造を用いてデータを送信する一例に関するメッセージダイアグラムである。
【００２０】
図１３は、ｅＮＢ又はＵＥ装置のいずれか一方において実施される通信方法のフローチャートである。
【発明を実施するための形態】
【００２１】
通信機器がライセンスド周波数帯での通信に使用する物理チャネル構造の少なくともいくつかの特徴を、通信機器がアンライセンスド周波数スペクトルを用いて通信を行うために使用する。本明細書で議論されるように、「タイミング構造」及び「タイミングスキーム」は、通信を管理するための時間内の分割及びサブ分割を意味する。「周波数構造」は、周波数分割及びチャネル配列を意味する。「物理チャネル構造」は、タイミング構造に適用され、チャネル構造を定義するような周波数構造を意味する。このため、物理チャネルの時間−周波数通信リソースは、物理チャネル構造により分割され、組織化される。物理チャネル構造は、周波数リソース及び時間リソースを分割し、複数の、通信リソースエレメントと称されることもある時間−周波数通信リソースを形成する。時間−周波数通信リソース（リソースエレメント）は、物理チャネル構造内の異なるタイプの情報に対して割り当てられる。例えば、１つのリソースセットは、データ用に割り当てられ、別のセットは、制御情報用に割り当てられ、三番目のセットは、参照信号用に割り当てられる。任意の時点での機器ごとの特定のリソースは、典型的には、割り当てられたリソースセットのサブセットである。例えば、スケジューラは、特定のＵＥ装置からのデータ伝送に関して、全てには満たない割り当てられたデータリソースエレメントのスケジューリングを行う。
【００２２】
本明細書の例に関して、通信機器がライセンスド周波数帯での通信に使用するタイミング及タイミング構造を、通信機器がアンライセンスド周波数スペクトルを用いて通信を行うために使用する。周波数は異なるが、ライセンスド周波数構造の周波数分割及びサブ分割の数がアンライセンスド周波数構造内で使用されるように、ライセンスド周波数構造がアンライセンスド周波数帯に適用される。ライセンスド物理チャネル構造内で割り当てられた時間−周波数リソースのセットのうち少なくともいくつかは、アンライセンスド物理チャネル構造に使用される。以下の例のタイミング構造は、時間を、少なくともフレーム、サブフレーム及びタイムスロット、シンボル時間に分割することを含む。本明細書で議論されるように、「タイミング」は、時間上の点及び時間上の期間を意味する。より具体的には、同じタイミングを使うには、タイミング構造内の最小の時間分割の境界を一致させる必要がある。このため、ライセンスドシステムのタイミングをアンライセンスド周波数帯に適用することにより、通信イベントが時間的に一致する。アンライセンスド周波数帯で使用されるタイミング構造は、ライセンスド周波数のタイミング構造と一致するように適用され得るが、ライセンスドシステムのタイミングは、タイミング構造と一致させることなく、アンライセンスド周波数帯内の通信に適用することができる。例えば、アンライセンスド周波数帯で使用されるタイミング構造は、いくつかの複数のシンボル時間分、ライセンスド周波数帯のタイミング構造からずれていてもよい。しかしながら、ライセンスド周波数帯内で使用されるタイミングがアンライセンスド周波数帯に適用されるため、アンライセンスド周波数帯内のシンボル時間の境界は、ライセンスド周波数帯内のシンボル時間の境界と一致する。
【００２３】
ライセンスド物理チャネル構造内のリソースセットに相当するアンライセンスド物理チャネル構造内のリソースセットは、アンライセンスド構造内で、ライセンスド構造内と同じシンボル時間（期間）を占有する。後述のいくつかの例では、アンライセンスド物理チャネル構造は、上りリンクライセンスド物理チャネル構造内で使用されるリソースセットを含み、送信装置は、ユーザ機器（ＵＥ）装置である。他の例では、アンライセンスド物理チャネル構造は、下りリンクライセンスド物理チャネル構造内で使用されるリソースセットを含み、送信装置は、ｅＮＢである。
【００２４】
図１は、通信機器１０４、１０６、１０８、１１０がアンライセンスド周波数帯を用いて通信を行うライセンスドサービスエリア１０２を有するライセンスド通信システム１００のブロック図である。ライセンスド通信システム１００は、米国連邦通信委員会（ＦＣＣ）などの政府機関により、システムオペレータに対してライセンスドが付与されている周波数スペクトル（周波数帯）の一部分を使用する任意の通信システムであってもよい。本明細書で説明される例については、ライセンスド通信システム１００は、第３世代パートナシッププロジェクト・ロング・ターム・エボリューション（３ＧＰＰ  ＬＴＥ）通信仕様改訂版のうち少なくとも１つに従って動作するセルラシステムである。ライセンスド周波数帯の例としては、１，７１０〜１，７５５及び２，１１０〜２，１５５ＭＨｚの範囲にあるＡＷＳ（Ａｄｖａｎｃｅｄ  Ｗｉｒｅｌｅｓｓ  Ｓｅｒｖｉｃｅ）４Ｇ周波数が挙げられる。アンライセンスド周波数帯は、アンライセンスド周波数帯により通信を行うにあたって政府機関からのライセンスドを必要としない周波数スペクトルの任意の部分である。しかしながら、アンライセンスド周波数帯内で動作する機器は、典型的には、規制及び／又は通信規格を固守する必要がある。アンライセンスド周波数帯の例としては、ＦＣＣ規則に準拠するＩＥＥＥ８０２．１１規格（ＷｉＦｉ、Ｂｌｕｅｔｏｏｔｈ、及びＺｉｇｂｅｅなど）に使用される周波数帯が挙げられる。図１の例では、ｅＮＢ１０４は、地理的サービスエリア（ライセンスドサービスエリア）１０２内のユーザ機器（ＵＥ）装置１０６、１０８、１１０に対して、１つ又はそれ以上のライセンスド周波数帯を用いて、無線サービスを提供する。
【００２５】
セルラ通信システムは、典型的には、通信規格又は仕様を固守する必要がある。通信仕様では、少なくとも、上りリンク及び下りリンク送信用のデータチャネル及び制御チャネルを含む物理チャネル構造を定義し、少なくとも、基地局から無線通信装置への物理下りリンク制御チャネル用のいくつかのタイミングパラメータ及び周波数パラメータを特定している。第３世代パートナシッププロジェクト・ロング・ターム・エボリューション（３ＧＰＰ  ＬＴＥ）の通信仕様は、通信局（ｅＮｏｄｅＢ）が、下りリンクでの直交周波数分割多元接続（ＯＦＤＭＡ）及び上りリンクでのシングルキャリア周波数分割多元接続（ＳＣ−ＦＤＭＡ）を使用して、無線通信装置（ＵＥ装置）にサービスを提供するシステムのための仕様である。本明細書に記載される技術は、他のタイプの通信システムに適用可能ではあるが、本明細書で検討される例示的なシステムは、ＦＤＤ  ３ＧＰＰ  ＬＴＥ通信仕様に従って動作する。
【００２６】
ｅＮＢ１０４は、任意のタイプの通信局又は送受信局又は無線ヘッドであってもよく、基地局、ｅＮｏｄｅＢ、固定局、アクセスポイント、及び他の用語と称されることもある。ｅＮＢ１０４は、典型的には、バックホール（図１に示されていない）を介して、いくつかの他のｅＮＢのネットワーク内で接続される。ＵＥ装置１０６、１０８、１１０は、任意のタイプのユーザ装置であり、例えば、ハンドセット、電話、スマートフォン、モバイル装置、携帯装置、及びモデムなどの他の用語で称されることもある。ライセンスド周波数帯を用いる通信としては、ｅＮＢからＵＥ装置への下りリンク送信、ＵＥ装置からｅＮＢへの上りリンク送信、及び２つ又はそれ以上のＵＥ装置間の装置間（Ｄ２Ｄ）通信を挙げることができる。図１のＵＥ装置とｅＮＢとの間の双方向矢印は、接続及び／又は対応付けを示すが、必ずしも進行中の通信セッションを示すものではない。例えば、ＵＥ装置は、ｅＮＢに登録され、制御情報を受信することもできるが、ｅＮＢとデータの交換は行わなくてもよい。
【００２７】
ライセンスド通信機器は、ライセンスド物理チャネル構造を用いて、ライセンスド周波数帯で通信を行う。下りリンク通信用の物理チャネル構造は、上りリンク通信用の物理チャネル構造とは異なっていてもよい。ライセンスド物理チャネル構造は、時間及び周波数を区分し、複数の時間−周波数リソース（リソースエレメント）を画定する。リソースのセットは、特定のタイプの通信に対して割り当てられる。例えば、時間−周波数通信リソースの異なるセットを、データ、制御、及び参照信号に対して割り当てることができる。本明細書の例では、ライセンスド物理チャネル構造は、３ＧＰＰ  ＬＴＥ通信仕様のうち少なくとも１つの改訂版に準拠する。
【００２８】
ライセンスドサービスエリア１０２内の他のアンライセンスド装置１１２、１１４、１１６、１１８は、通信を行うためにアンライセンスド周波数帯を使用する。アンライセンスド装置１１２、１１４、１１６、１１８としては、モバイル装置１１４にサービスを提供するアクセスポイント（ＡＰ）１１２、及び装置間通信シナリオで動作する装置１１６、１１８が挙げられる。アンライセンスド通信は、アドホック通信シナリオであってもよく、双方向又は一方向であってもよい。したがって、アンライセンスド装置１１２、１１４、１１６、１１８としては、様々なタイプの装置及び機器を挙げることができる。図１の例では、アクセスポイント１１２は、アンライセンスドサービスエリア１２０内のモバイル装置１１４に無線サービスを提供し、２つの他の装置１１６、１１８は、アンライセンスド周波数帯を用いて互いに直接通信する。
【００２９】
本明細書の例では、ライセンスド機器１０４、１０６、１０８、１１０は、アンライセンスド周波数帯で通信するためのアンライセンスド物理チャネル構造を使用する。なおアンライセンスド物理チャネル構造は、ライセンスド物理チャネル構造と同じ時間及び周波数分割を少なくとも有する。周波数は異なるが、アンライセンスド構造の通信リソースエレメントがライセンスド構造の通信リソースエレメントに関連するように、アンライセンスド構造の各周波数分割は、ライセンスド構造の周波数分割と相関する。参照信号の送信用の通信リソースエレメントの参照セットは、参照信号用のライセンスド物理チャネル構造に割り当てられたリソースエレメントの参照セットと同じシンボル時間を有する。
【００３０】
本明細書の例では、ライセンス機器１０４、１０６、１０８、１１０は、アンライセンス装置（場合によっては、アンライセンスド周波数帯を用いる他のライセンスド装置）間での通信の干渉を回避する、又はインターフェイスが少なくとも許容水準となると判断された時間に、アンライセンスド周波数帯を通信のために用いる。送信前にアンライセンスド周波数帯を監視して、本周波数帯が現在使用中かどうかを判断する。本周波数帯が使用中でないと判断された場合、ライセンスド機器は、アンライセンスド周波数帯内で信号を送信する。図１の例では、点線の矢印が、ライセンスドシステム機器によるアンライセンスド周波数帯内の送信を示す。いくつかのシナリオでは、ＵＥ装置１０８、１１０は、アンライセンスド周波数帯内で信号１２２、１２４をｅＮＢ１０４に送信する。信号１２２、１２４は、信号のパワーレベルに応じて、十分に接近しているアンライセンスド装置に到達する。例えば、１つのＵＥ装置１２２からの信号１２２は、アクセスポイント１１２及びアンライセンスドモバイル装置１１４に到達してもよく、第２のＵＥ装置１１０からの信号１２４は、アンライセンスドモバイル装置１１６、１１８に到達してもよい。別のシナリオでは、ｅＮＢ１０４は、アンライセンスド周波数帯内で信号１２６を１つ又はそれ以上のＵＥ装置１１０に送信し、信号１２６は、アンライセンスドモバイル装置１１６、１１８に到達してもよい。アンライセンスドモバイル装置１１８は、場合によっては、ライセンスドサービスエリア１０２外であってもよい。ＵＥ装置１０８による送信が行われる前に、エネルギに関してアンライセンスド周波数帯を監視するため、アンライセンスド装置での干渉が減少する。加えて、アンライセンスド装置による送信が原因であるライセンスド装置での干渉もまた減少する。
【００３１】
図２は、図１のＵＥ装置１０６、１０８、１１０のうちの１つとして使用するのに好適なＵＥ装置２００の一例のブロック図である。ＵＥ装置２００は、ライセンスド周波数帯送受信部２０２と、制御部２０４と、例えばメモリなど他の構成要素及び回路（図示せず）と、を備える。本明細書の例として、それぞれのＵＥ装置はまた、アンライセンスド周波数帯受信部２０８及びアンライセンスド周波数帯送信部２１０を含む、アンライセンスド周波数帯送受信部２０６を備える。アンライセンスド周波数帯送信部２１０は、アンライセンスド周波数帯を介して信号を送信し、状況に応じて、これらの信号は、ｅＮＢへの上りリンク制御情報、ｅＮＢへの上りリンクデータ情報、別のＵＥへのＤ２Ｄ制御情報、及び／又は別のＵＥ装置Ｄ２Ｄデータ情報を提供し得る。アンライセンスド周波数帯送信部２１０はまた、場合によっては、更に詳細に後述するように、アンライセンスド周波数帯内で予備信号を送信するために使用されてもよい。アンライセンスド周波数帯送信部２１０は、ＵＥ装置２００から割愛されてもよい。これは、ＵＥ装置２００が、アンライセンスド周波数帯を監視するためにのみ使用される場合、かつ／又はアンライセンスド周波数帯内で信号を受信するためにのみ使用される場合にあり得る。アンライセンスド周波数帯受信部２０８は、アンライセンスド周波数帯を介して信号を受信し、状況に応じて、これらの信号は、ｅＮＢからの下りリンク制御情報、ｅＮＢからの下りリンクデータ情報、別のＵＥからの装置間（Ｄ２Ｄ）制御情報、及び／又は別のＵＥ装置からのＤ２Ｄデータ情報を提供し得る。
【００３２】
ライセンスド周波数帯送受信部２０２は、ライセンスド周波数帯内で上りリンク無線信号をｅＮＢへ送信する送信部及びｅＮＢから下りリンク無線信号を受信する受信部を備える。送受信部はまた、割り当てられたライセンスド上りリンク通信リソースを使用して、Ｄ２Ｄ信号を送受信するように構成され得る。制御部２０４は、ＵＥ装置２００の構成要素を制御して、本明細書に記載される装置２００の機能を管理し、かつ装置２００の全体的な機能性を簡易化する。制御部２０４は、送受信部２０２、２０８及びメモリなどの他の構成要素に接続される。
【００３３】
図３は、図１のｅＮＢ１０４として使用するのに好適なｅＮＢ３００の一例のブロック図である。ｅＮＢ３００は、ライセンスド周波数帯送受信部３０２と、制御部３０４と、例えばメモリなど他の構成要素及び回路（図示せず）と、を備える。本明細書の例として、ｅＮＢはまた、アンライセンスド周波数帯受信部３０８及びアンライセンスド周波数帯送信部３１０を含むアンライセンスド周波数帯送受信部３０６を備える。アンライセンスド周波数帯送信部３１０は、アンライセンスド周波数帯を介して信号を送信し、状況に応じて、これらの信号は、下りリンク制御情報をＵＥ装置に提供してもよく、また下りリンクデータ情報をＵＥ装置に提供してもよい。アンライセンスド周波数帯送信部３１０はまた、場合によっては、更に詳細に後述するように、アンライセンスド周波数帯内で予備信号を送信するために使用されてもよい。アンライセンスド周波数帯送信部３１０は、ｅＮＢ３００から割愛されてもよい。これは、ｅＮＢが、アンライセンスド周波数帯を監視するためにのみ使用される場合、かつ／又はアンライセンスド周波数帯内で信号を受信するためにのみ使用される場合にあり得る。ライセンスド周波数帯送受信部３０２は、サービスエリア１０２内でＵＥ装置１０４、１０６、１０８、１１０と無線信号の交換を行う。ライセンスド周波数帯内でのｅＮＢから及びＵＥ装置からの送信は、ライセンスドシステム１００のオペレータに対してライセンスドが付与されている周波数帯による送信のシグナリング、プロトコール、及びパラメータを定義する通信仕様に準拠する。通信仕様は、通信用の厳格なルールを提供してもよく、かつ具体的な実施は異なり得るが通信仕様には従っている一般的な要件を提供してもよい。本明細書における検討は、３ＧＰＰロング・ターム・エボリューション（ＬＴＥ）通信仕様に関するが、状況によっては、他の通信仕様を使用してもよい。通信仕様では、少なくとも、上りリンク及び下りリンク送信用のデータチャネル及び制御チャネルが定義され、少なくとも、物理チャネル用のいくつかのタイミングパラメータ及び周波数パラメータが特定されている。以下に更に詳細に議論するように、タイミングパラメータのうち少なくとも１つは、アンライセンスド周波数帯に適用される。
【００３４】
図４は、少なくともフレーム、サブフレーム、タイムスロット、及びシンボル時間（期間）を含むタイミング構造４００を示す図である。図４の図は、相対的タイミング構造を示す周波数−時間グラフであり、これらは必ずしも尺度どおりではなく、例示的な視覚表示を提示しているものにすぎない。システムによって使用されるタイミング構造は、典型的には、システムが動作する通信仕様と、周波数帯の規則とに、少なくとも部分的に基づいている。システムのタイミング構造（タイミングスキーム）を構築するために、多数の方法で時間を編成することができる。本明細書の例としては、時間は、少なくともフレーム４０２、サブフレーム４０４、４０６、４０８、タイムスロット４１２、４１４、及びシンボル時間４１６に編成される。
【００３５】
フレーム４０２は、少なくとも第１のサブフレーム（Ｋ）４０４及び第２のサブフレーム（Ｋ＋１）４０８を含む、複数のサブフレームを含む。各サブフレームは、タイムスロット４１２、４１４に分割される。ＬＴＥについては、各フレームは、１０のサブフレームを含み、各サブフレームは、２のタイムスロットを含む。タイムスロット４１２、４１４は、シンボル時間４１６に更に分割され、ＬＴＥ通信仕様では、各タイムスロットは、７のシンボル時間４１６を含む。以下に詳細に議論するように、通信のために使用される周波数帯４１８は、サブキャリアに分割され、シンボル時間とサブキャリアとの組み合わせがリソースエレメントを画定する物理チャネル構造の周波数構造を形成する。
【００３６】
図５Ａは、ライセンスド周波数帯５０４内でライセンスドシステム（ライセンスド機器）によって使用されるタイミング及びタイミング構造がアンライセンスド周波数帯５０２内での通信に使用される、アンライセンスド周波数帯５０２及びライセンスド周波数帯５０４の図である。図５Ａ及び図５Ｂの図は、周波数−時間グラフ５００、５３０であり、アンライセンスド周波数帯５０２に適用される、ライセンスド周波数帯５０２のタイミング構造及びタイミングを示す。グラフ５００、５３０は、必ずしも尺度通りに記述されているものではなく、例示的な視覚表示を提供するにすぎない。ライセンスド周波数帯内のライセンスドシステムによって使用されるタイミングは、システムが動作する通信仕様と、周波数帯の規則とに、少なくとも部分的に基づいている。システムのタイミング構造（タイミングスキーム）を構築するために、多数の方法で時間を編成することができる。本明細書の例としては、時間は、少なくともフレーム４０２、サブフレーム４０４、４０８、４１０、タイムスロット４１２、４１４、及びシンボル時間４１６に編成される。例としては、ライセンスド周波数帯５０４に使用されるタイミング及びタイミング構造は、１つ又はそれ以上の３ＧＰＰ  ＬＴＥ通信仕様のリリースに準拠する。
【００３７】
フレーム４０２は、少なくとも第１のサブフレーム（Ｋ）４０４及び第２のサブフレーム（Ｋ＋１）４０６を含む、複数のサブフレームを含む。ＬＴＥシステムについては、上記のように、各フレームは、１０のサブフレームを含み、各サブフレームは、２のタイムスロットを含む。タイムスロットは、シンボル時間に更に分割され、ＬＴＥ通信仕様では、各タイムスロットは７、のシンボル時間４１６を含む。以下に詳細に議論するように、周波数帯５０２、５０４は、サブキャリアに分割され、シンボル時間とサブキャリアとの組み合わせがリソースエレメントを画定する物理チャネル構造の周波数構造を形成する。他のタイミングスキーム及び構造を、ライセンスド周波数帯５０４で使用してもよい。
【００３８】
上記のように、ライセンスド機器では、ライセンスド周波数帯５０４内で使用されるタイミングに従って、ＵＥ装置及び／又はｅＮＢがアンライセンスド周波数帯５０２を介して信号を送信する通信に関して、アンライセンスド周波数帯５０２を使用する。ライセンスドシステム内で使用されるタイミング構造はまた、アンライセンスド周波数帯に適用される。図５Ａの例では、ライセンスドシステムは、フレーム、サブフレーム、タイムスロット及びシンボル時間構造をアンライセンスド周波数帯５０２に適用する。
【００３９】
このため、例として、ライセンスド機器は、ライセンスド周波数帯５０４内で使用されるタイミング及びタイミング構造に従って、アンライセンスド周波数帯５０２内で信号を送信する。したがって、アンライセンスド周波数帯内に適用されているフレーム５０６は、ライセンスド周波数帯５０２内におけるフレーム４０２に相当する。アンライセンスド周波数帯に適用されているサブフレーム５０８、５１０、５１２、タイムスロット５１４、５１６、及びシンボル時間は、それぞれ、ライセンスド周波数帯内のサブフレーム４０４、４０８、４１０、タイムスロット４１２、４１４、及びシンボル時間４１６に相当する。図５Ａには、２つの周波数帯のタイミング構造が一致しているものとして示されているが、場合によっては、タイミング構造は、いくつかの複数のシンボル時間、タイムスロット、サブフレーム、又は他のタイミング構造ユニット分、ずれていてもよい。
【００４０】
図５Ｂは、ライセンスド周波数帯５０４内でライセンスドシステムによって使用されるタイミング及びタイミング構造がアンライセンスド周波数帯５０２内での通信に使用され、アンライセンスド周波数帯内のタイミング構造がライセンスド周波数帯のタイミング構造からずれている、アンライセンスド周波数帯５０２及びライセンスド周波数帯５０４を示す図である。アンライセンスド周波数帯内のタイミング構造は、ライセンスド周波数帯内のタイミング構造からのオフセット５３２を有する。図５Ｂの例では、オフセットは、１つのシンボル時間（シンボル期間）である。オフセット５３２は、任意の複数のシンボル時間であってもよい。図５Ｂに示すとおり、シンボル時間の縁部が一致しており、アンライセンスド周波数帯内でライセンスド周波数帯のタイミングが適用されていることが示されている。
【００４１】
図６は、タイミング構造内の単一のタイムスロット４１２の周波数構造を示す図である。本明細書に記載の例では、通信のために使用される周波数帯６０２は、サブキャリア６０６を形成する複数の均等部分６０４に分割される。リソースエレメント６０８は、１つのシンボル時間４１６及び１つのサブキャリア６０２によって形成される。本明細書に記載の例では、リソースエレメントは、通信用に割り当てられる最小の時間−周波数通信リソースである。リソースエレメント６０８は、タイムスロット内の各１２のサブキャリアがリソースブロック６１０、６１２、６１４を形成するリソースブロックに編成される。したがって、周波数帯６０２は、リソースブロック１  ６１０〜リソースブロックＮ  ６１４までの複数のリソースブロックを含む。周波数帯６０２内のリソースブロックの数（Ｎ）は、典型的には、周波数帯６０２の帯域幅に依存する。例えば、ＬＴＥ仕様の少なくともいくつかの改訂版により、１．４、３、５、１０、１５、及び２０ＭＨｚの帯域幅を有する周波数帯に関して、異なる数のリソースブロックが提供されている。ＬＴＥでは、ＬＴＥにおける下りリンク周波数帯は、送信はされないが、サブキャリア数として数えられるＤＣサブキャリアを含む。上りリンク周波数帯では、ＤＣサブキャリアは、存在しないが、これは、全スペクトルがサブキャリアの間隙の半分だけ周波数内で下方に移動し、約ゼロの周波数で対称的になるためである。次表１には、ＬＴＥ内の異なる帯域幅でのサブキャリア及びリソースブロックの割り当て例を提示する。
【表１】
2017520151.tif 000003
【００４２】
このため、チャネルの物理構造は、周波数構造のタイミング構造への適用の結果である。物理構造は、異なるタイプの送信に割り当てられた異なるセクションを含む。通信仕様及び他の考察に応じて、物理構造を用いるシステムでは、特定の送信用に割り当てられたセクションの少なくともサブセットのスケジューリング、割り当て、又は他の使用が行われる。
【００４３】
図７は、ライセンスド周波数帯７０４内のライセンスド物理チャネル構造７０２のサブフレーム及びアンライセンスド周波数帯７０８内のアンライセンスド物理チャネル構造７０６のサブフレームを示す図である。後述のとおり、物理チャネル構造７０２、７０６は、上りリンク通信又は下りリンク通信用に使用されてもよい。したがって、物理チャネル構造を用いる送信装置は、ｅＮＢ又はＵＥ装置であってもよい。下りリンク物理チャネル構造及び上りリンク物理チャネル構造の例は、それぞれ図８及び図１０を参照して考察される。図７は、各物理チャネル構造の一部分を示し、本明細書の例では、物理チャネル構造７０２、７０６は、１を超えるサブフレーム及び１２を超えるサブキャリアを含む。
【００４４】
ライセンスド物理チャネル構造７０２及びアンライセンスド物理チャネル構造７０６は、周波数リソース及び時間リソースを分割して、複数の、通信エレメント、通信リソースエレメント及び他の用語として称されることもある時間−周波数通信リソース（リソースエレメント）７１０、７１２を形成する。上記のように、物理チャネル構造は、時間をフレーム、サブフレーム、タイムスロット及びシンボル時間に分割するタイミング構造と、周波数帯をサブキャリアに分割する周波数構造とを含む。このため、ライセンスド周波数帯７０４は、複数のサブキャリア７１４に分割される。周波数帯内のサブキャリア数は、チャネル帯域幅に依存する可能性があり、また、グループに編成され得る。例えば、上述のとおり、３ＧＰＰ  ＬＴＥ通信仕様では、リソースブロックの数がチャネル帯域幅に依存するリソースブロック内で１２のサブキャリアを特定している。ＬＴＥでは上りリンクがＳＣ−ＦＤＭＡであるが、周波数は、サブキャリアに分割されると考えることができる。これは、上りリンクでは、離散的フーリエ変換プリコーディングが使用されるためである。したがって、図７に示す提示は、概して、ＬＴＥに準拠している上りリンク通信に適用する。
【００４５】
本明細書に記載の例では、アンライセンスド周波数帯７０８は、ライセンスド物理チャネル構造７０２内のサブキャリア７１４の数と等しい、複数のサブキャリア７１６に分割される。アンライセンスド周波数帯では、タイミング構造がライセンスド周波数帯内と同じであるため、アンライセンスド物理チャネル構造内のリソースエレメント７１８の数は、ライセンスド物理チャネル構造内と同じである。ライセンスド周波数帯７０４における複数の時間−周波数通信リソース（リソースエレメント）７１０は、ライセンスド物理チャネル構造７０２のサブフレーム内の異なるタイプの情報に割り当てられる。図７の例では、リソースのデータセット７２０は、データ用に割り当てられ、リソースの制御セット７２２は、制御情報用に割り当てられ、リソースの参照セット７２４は、参照信号用に割り当てられる。他のセットは、他のタイプの情報用に割り当てられてもよい。リソースのセットは、場合によっては、動作中に柔軟性が得られるように、オーバーラップしてもよい。例えば、リソースのデータセット７２０及びリソースの制御セット７２２は、いくつかの共通のリソースを含んでいてもよい。図７の例では、リソースのデータセット７２０は、制御用又はデータ用に使用され得るリソースについては二重斜影線で示し、データ用に排他的に使用されるリソースについては斜影線で示す。このようなシステムは、ＬＴＥと調和し、物理下りリンク制御チャネル（ＰＤＣＣＨ）などの制御チャネルは、少なくとも１つのシンボル時間を含み、２、３、場合よっては、４のシンボル時間を含んでいてもよい。通信中、送信装置は、適切なリソースセットを用いて、送信用のリソーのスサブセットを選択することにより信号を送信する。典型的には、スケジューラが、通信用物理チャネル構造のリソースセットのリソースサブセットのスケジューリング（割り当て）を行う。スケジューラは、特定のリソースを、特定の装置及び／又は特定の送信に割り当ててもよい。したがって、物理チャネル構造は、潜在的に通信用に使用され得るリソースの割り当てを提供する。特定の送信に使用される実際のリソースは、物理チャネル構造によって割り当てられるリソースの全てに満たなくてもよい。
【００４６】
アンライセンスド物理チャネル構造７０６は、ライセンスド物理チャネル構造７０２と同じである少なくともいくつかの特徴を含む。本明細書に記載の例では、アンライセンスド物理チャネル構造は、少なくともリソースのデータセット７２６及び参照信号用のリソースの参照セット７２８を含む。後述のとおり、ライセンスド及びアンライセンスド物理チャネル構造は、他の共通のリソースセットを含んでいてもよい。ライセンスド物理チャネル構造内のリソースセットに相当するアンライセンスド物理チャネル構造内のリソースセットは、アンライセンスド構造内で、ライセンスド構造内と同じシンボル時間（期間）を占有する。アンライセンスドリソースセット用の周波数は、ライセンスドリソースセットの対応するセットとは異なるが、構造内の相対的位置は同じである。例えば、ライセンスド物理チャネル構造内の参照セットは、サブキャリア３、４、１０及び１１を占有し、アンライセンスド物理チャネル構造内の参照セットもまた、サブキャリア３、４、１０及び１１を占有する。後述のいくつかの例では、アンライセンスド物理チャネル構造は、上りリンクライセンスド物理チャネル構造内で使用されるリソースセットを含み、送信装置は、ユーザ機器（ＵＥ）装置である。他の例では、アンライセンスド物理チャネル構造は、下りリンクライセンスド物理チャネル構造内で使用されるリソースセットを含み、送信装置は、ｅＮＢである。
【００４７】
アンライセンスド物理チャネル構造７０６はまた、チャネルアクセス管理７３０用に確保されたリソースを含む。チャネルアクセス管理リソースにより、検知／バックオフ期間と称されることもあるチャネルの監視及びバックオフ期間が可能になる。典型的には、８０２．１１周波数帯などのアンライセンスド周波数帯で動作する機器は、規則及び／又は通信規格に準拠する必要がある。これらの規則又は規格は、多くの場合、送信側装置が「リッスン・ビフォア・トーク（ｌｉｓｔｅｎ  ｂｅｆｏｒｅ  ｔａｌｋ）」の必要がある搬送波感知多重アクセス（ＣＳＭＡ）を利用している。アンライセンスドシステムはまた、衝突回避技術を使用してもよい。したがって、チャネルアクセス管理リソース７３０は、チャネルアクセスを使用するためのリソースを提供する。チャネルアクセス管理リソース７３０は、サブフレーム内の少なくとも第１のシンボル期間を占有する。しかしながら、場合によっては、アンライセンスド物理チャネル構造内のチャネルアクセス管理リソースは、第１のシンボル時間よりも多く占有してもよい。ＬＴＥでは、ライセンスド物理チャネル構造内のサブフレームの第１のシンボル期間、第１の２のシンボル期間又は第１の３のシンボル期間を制御情報用に割り当てる。場合によっては、第１の４のシンボル期間を使用する。ＬＴＥ下りリンクは、物理下りリンク制御チャネル（ＰＤＣＣＨ）を含み、上りリンクは、物理上りリンク制御チャネル（ＰＵＣＣＨ）を含む。
【００４８】
図８は、アンライセンスド下りリンク物理チャネル構造８００の一部分の一例を示す図である。図８は、サブフレーム用の１２のサブキャリアを示す（すなわち、２のタイムスロットに対して２のリソースブロック）。本明細書に記載の例では、アンライセンスド下りリンク物理チャネル構造８００は、ライセンスド機器が使用するライセンスド下りリンク物理チャネルと同じ数の周波数分割７１６及び同じ時間分割を含む。後述のとおり、アンライセンスド下りリンク物理チャネル構造は、時間を、より小さいサブシンボル増分に分割することを更に含む。しかしながら、アンライセンスド周波数帯内のシンボルタイミングは、ライセンスド周波数帯内と同じである。アンライセンスド物理チャネル構造は、いくつかのリソースブロックを含み、それゆえ、１２を超えるサブキャリアを含む。しかしながら、物理チャネル構造の一部分のみを図８に示す。アンライセンスド下りリンク物理チャネル構造内のサブキャリア及びリソースブロックの数は、機器が通信用に使用するライセンスド下りリンク物理チャネル構造内のサブキャリア及びリソースブロックの数と同じである。加えて、アンライセンスド物理下りリンクチャネル構造内の少なくともリソースの下りリンクデータセット８０２及びリソースの下りリンク参照セット８０４は、ライセンスド物理下りリンクチャネル構造内のリソースのデータセット及びリソースの参照セットと同じである。このため、チャネルが下りリンクチャネルである場合、リソースの下りリンクデータセット８０２は、リソースのデータセット７２６の一例であり、リソースの下りリンク参照セッ８０４トは、リソースの参照セット７２８の一例である。
【００４９】
したがって、参照信号は、リソースの下りリンク参照セット８０４内の１つ又はそれ以上のリソースエレメント内のｅＮＢから送信される。ｅＮＢは、リソースの下りリンクデータセット８０２のリソースエレメント８０６のうち１つ又はそれ以上内でデータを送信する。
【００５０】
アンライセンスド下りリンク物理チャネル構造８００は、ライセンスド下りリンク物理チャネル構造においてＰＤＣＣＨ用に割り当てられるリソースエレメントに対応するリソースエレメントのうち少なくとも一部分を占有するリソースのチャネルアクセス管理セット７３０を含む。動作中、チャネルアクセス管理リソース用に割り当てられた時間のうち少なくとも一部分の間、アンライセンスド周波数帯を監視する。典型的には、監視用の時間は、シンボル期間未満である。一例では、ｅＮＢは、周波数帯を監視する検知及びバックオフ手順（検知／バックオフ手順）を使用し、他のいずれの装置もその周波数帯を使用していないと判断した場合、ｅＮＢは、送信前のバックオフ期間待機する。バックオフ期間は、動的であり、アンライセンスド機器がアンライセンスド周波数帯内で通常適用するフォーミュラにより決定されてもよい。
【００５１】
本明細書の例では、アンライセンスド周波数帯の監視又は検知は、アンライセンスド周波数帯を用いるアンライセンスド機器によって使用される技術に従って実施される。例えば、アンライセンスド周波数帯が、規格８０２．１１に準拠するシステムによって通常使用される２．４ＧＨｚ帯である場合、８０２．１１装置が使用する技術と類似の技術を用いて、送信装置によって監視が実施される。しかしながら、任意の様々な技術を、アンライセンスド周波数帯の「検知」、「聞き取り」又は他の監視を行うために使用してもよい。送信装置には、アンライセンスド周波数帯内のエネルギを測定し、測定されたエネルギと閾値とを比較するための電子装置を含む。測定されたエネルギが閾値を超えている場合、送信装置は、その周波数帯が使用中であると判断する。場合によっては、アンライセンスド周波数帯全体のエネルギを測定する。他の状況では、アンライセンスド周波数帯のスペクトルの一部分のみ測定する。例えば、送信装置が、他のライセンスド装置がアンライセンスド周波数帯を使用中かどうかを判断している場合、送信装置は、ライセンスド装置がその周波数帯を使用していればエネルギが存在するであろう特定のサブキャリアを調べてもよい。こうしたサブキャリアは、例えば参照信号の送信に使用してもよい。
【００５２】
場合によっては、プリアンブル８０８を使用して、ｅＮＢからの送信用としてアンライセンスド周波数帯を確保することができる。プリアンブルを送信することで、チャネルを占有し、そのチャネルの使用を試みる他の装置がプリアンブルを検出し、送信を控えるようになる。プリアンブルは、特定の実装に応じて、ランダムデータであってもよく、あるいは情報を含んでいてもよい。このため、場合によっては、ｅＮＢは、他の装置がその周波数帯を使用していないか判断するために下りリンクのアンライセンスド周波数帯を検知し、動的に決定された期間の間は、送信を控え、依然としてその周波数帯が使用されていない場合は、第１のシンボル時間の残りの時間に対してプリアンブルを送信する。
【００５３】
後述の例では、制御情報は、ライセンスド周波数帯内の制御チャネルを介して送信され、データは、アンライセンスド周波数帯で送信される。制御情報がアンライセンスド周波数帯内で送信される場合、アンライセンスド下りリンク物理チャネル構造は、制御情報を送信するために使用され得るリソースエレメントの制御セットを含む。例えば、任意選択的な拡張型物理下りリンク制御チャネル（ＥＰＤＣＣＨ）８１０は、アンライセンスド下りリンク物理チャネル構造に含まれていてもよく、チャネル８１０用に割り当てられたリソースエレメントは、ライセンスド下りリンク物理チャネル構造においてＥＰＤＣＣＨに使用されるリソースと相関する。
【００５４】
図９は、検知／バックオフ期間９０４後、第１のシンボル９００がデータ９０２を含む例のアンライセンスド下りリンク物理チャネル構造８００の第１のシンボル９００を示す図である。図９を参照して考察した例では、時間は、各第１のタイムロットの少なくとも第１のシンボルが複数のサブシンボル９０６を含むように、サブシンボル９０６に更に分割される。サブシンボル９０６は、任意の持続時間を有してもよいが、多くの場合、サブシンボル期間は、等しい。好適なサブシンボルの例としては、約２．５マイクロ秒である。チャネルアクセス管理リソース７３０は、ｅＮＢがチャネルを検知し、バックオフ期間待機する、検知／バックオフリソース９０８を含む。バックオフ期間は、動的に決定され、アンライセンスド周波数帯内においてアンライセンスド通信機器が使用する技術に基づいていてもよい。バックオフ期間後、シンボルの残部でデータが送信される。一例では、送信対象データの第１のサイクリックプレフィックス（ＣＰ）が拡張されて、ＣＰの一部分は、第１のシンボル期間９００のデータリソース９０２内で送信され、ＣＰの残部は、第２のシンボル期間内で送信される。
【００５５】
図１０は、アンライセンスド上りリンク物理チャネル構造１０００の一部分の一例を示す図である。図１０は、サブフレーム用の１２のサブキャリアの３つのセットを示す。本明細書に記載の例では、アンライセンスド上りリンク物理チャネル構造１０００は、ライセンスド機器が使用するライセンスド上りリンク物理チャネルと同じ数の周波数分割７１６及び同じ時間分割を含む。アンライセンスド下りリンク物理チャネル構造と同様に、アンライセンスド上りリンク物理チャネルは、時間を、より小さいサブシンボル増分に分割することを更に含む。しかしながら、アンライセンスド周波数帯内のシンボルタイミングは、ライセンスド周波数帯内と同じである。アンライセンスド物理上りリンクチャネル構造は、いくつかのリソースブロックを含む。アンライセンスド上りリンク物理チャネル構造内のサブキャリア及びリソースブロックの数は、機器が通信用に使用するライセンスド上りリンク物理チャネル構造内のサブキャリア及びリソースブロックの数と同じである。加えて、アンライセンスド物理上りリンクチャネル構造内の少なくともリソースの上りリンクデータセット１００２及びリソースの上りリンク参照セット１００４は、ライセンスド上りリンク物理チャネル構造内のリソースのデータセット及びリソースの参照セットと同じである。リソースの上りリンク参照セットは、例では、復調参照信号（ＤＭＲＳ）を送信するためのものである。ＤＭＲＳは、ＰＵＳＣＨ及びＰＵＣＣＨのチャネルの推定及びコヒーレント復調に使用される。
【００５６】
したがって、ＤＭＲＳ参照信号は、リソースの参照セット１００４内の１つ又はそれ以上のリソースエレメント内で、ＵＥ装置から送信される。ＵＥ装置は、リソースのデータセット１００２のリソースエレメント１００６のうち１つ又はそれ以上内でデータを送信する。リソースエレメントは、典型的には、スケジューラによってスケジューリングされる。
【００５７】
アンライセンスド上りリンク物理チャネル構造１０００は、ライセンスド上りリンク物理チャネル構造においてＰＵＣＣＨ用に割り当てられるリソースエレメントに対応するリソースエレメントのうち少なくとも一部分を占有するリソースのチャネルアクセス管理セット７３０を含む。動作中、チャネルアクセス管理リソース用に割り当てられた時間のうち少なくとも一部分の間、アンライセンスド周波数帯を監視する。典型的には、監視用の時間は、シンボル期間未満である。一例では、ＵＥ装置は、周波数帯を監視する検知及びバックオフ手順（検知／バックオフ手順）を使用し、他のいずれの装置もその周波数帯を使用していないと判断した場合、ＵＥ装置は、送信前のバックオフ期間待機する。バックオフ期間は、動的であり、アンライセンスド機器がアンライセンスド周波数帯内で通常適用するフォーミュラにより決定されてもよい。上述のとおり、アンライセンスド周波数帯の監視及び検知は、アンライセンスド周波数帯を使用するアンライセンスド機器によって使用される技術により実施される。
【００５８】
場合によっては、プリアンブル１００８を使用して、ＵＥ装置からの送信用としてアンライセンスド周波数帯を確保することができる。プリアンブルを送信することで、チャネルを占有し、そのチャネルの使用を試みる他の装置がプリアンブルを検出し、送信を控えるようになる。プリアンブルは、特定の実装に応じて、ランダムデータであってもよく、あるいは情報を含んでいてもよい。このため、場合によっては、ＵＥ装置は、他の装置がその周波数帯を使用していないか判断するために下りリンクのアンライセンスド周波数帯を検知し、動的に決定された期間は、送信を控え、依然としてその周波数帯が使用されていない場合は、第１のシンボル時間の残りの時間に対してプリアンブルを送信する。
【００５９】
場合によっては、アンライセンスド物理上りリンクチャネル構造１０００は、リソースのＳＲＳセット１０１０を含む。ＬＴＥに準拠して動作するシステムなどのライセンスドシステムでは、サウンディング参照信号（ＳＲＳ）は、上りリンク内で送信され、周波数領域のサブセクションのｅＮｏｄｅＢ上りリンクチャネルの質により、判断を促進させることができる。ＳＲＳは、ＬＴＥシステムにおいて、任意選択的である。リソースのＳＲＳセット１０１０を含めることによって、同じ技術をアンライセンスド周波数帯に適用することができる。
【００６０】
図１１及び図１２を参照して説明した後述の例では、制御情報は、ライセンスド周波数帯内の制御チャネルを介して送信され、データは、アンライセンスド周波数帯で送信される。制御情報がアンライセンスド周波数帯内で送信される場合、アンライセンスド上りリンク物理チャネル構造は、上リンク制御情報を送信するために使用され得るリソースエレメントの制御セットを含む。例えば、任意選択的な物理上りリンク制御チャネル（ＰＵＣＣＨ）１０１２は、アンライセンスド下りリンク物理チャネル構造に含まれていてもよく、チャネル１０１２用に割り当てられたリソースエレメントは、ライセンスド上りリンク物理チャネル構造においてＰＵＣＣＨに使用されるリソースと相関する。典型的には、ＬＴＥシステム内でＰＵＣＣＨ用に割り当てられるリソースは、周波数帯縁部にある。上りリンク制御リソース（ＰＵＣＣＨ）１０１２のアンライセンスドセットは、ライセンスド上りリンク物理チャネル構造内のＰＵＣＣＨ用に使用されるリソースと相関する。
【００６１】
図１１は、ライセンスド機器が、アンライセンスド周波数帯で、アンライセンスド下りリンク物理チャネル構造を用いてデータを送信する一例に関するメッセージダイアグラムである。図１１の例では、アンライセンスド周波数帯を用いるｅＮＢ１１０２は、ライセンスド周波数帯を用いるｅＮＢ１１０４と同調されているか、又は同じｅＮＢであるかのいずれかである。このため、ライセンスドセルをＵＥ装置１１０６に提供する機器は、ＵＥ装置１００６にアンライセンスドセルを提供する同じ機器であるか、あるいはアンライセンスドセルを提供する機器と通信する。アンライセンスドｅＮＢ１００２は、Ｘ２通信リンク１１０８を用いて、ライセンスドｅＮＢと通信する。他のタイプのバックホールを使用してもよい。例えば、インターネット接続は、２つのｅＮＢ間で使用することができる。ｅＮＢは、通信リンクを介して、周波数割り当てを調整することができる。イベント１１１０では、ライセンスドｅＮＢは、ライセンスド周波数帯内においてＰＤＣＣＨを介してＵＥ装置１１０６にメッセージを送信する。ＰＤＣＣＨメッセージは、アンライセンスド周波数帯内でＵＥ装置１００６にデータを送信するために、アンライセンスド下りリンク物理チャネル構造のＰＤＳＣＨ内で使用されるであろう通信リソースの表示又は識別を少なくとも含む。イベント１１１２では、アンライセンスドｅＮＢは、アンライセンスド下りリンク物理チャネル構造のＰＤＳＣＨ内でＵＥ装置１００６にデータを送信する。イベント１１４では、ＵＥ装置１００６は、ライセンスド上りリンク物理チャネル構造内のＰＵＣＣＨ内で肯定応答によりＰＤＳＣＨメッセージに応答する。イベント１１１６では、肯定応答は、バックホールを介してライセンスドｅＮＢ１００４から、アンライセンスドｅＮＢ１１０２に中継される。
【００６２】
図１２は、ライセンスド機器が、アンライセンスド周波数帯で、アンライセンスド上りリンク物理チャネル構造を用いてデータを送信する一例に関するメッセージダイアグラムである。図１２の例では、アンライセンスド周波数帯を用いるｅＮＢ１１０２は、ライセンスド周波数帯を用いるｅＮＢ１１０４と同調されているか、又は同じｅＮＢであるかのいずれかである。このため、ライセンスドセルをＵＥ装置１１０６に提供する機器は、ＵＥ装置１００６にアンライセンスドセルを提供する同じ機器であるか、あるいはアンライセンスドセルを提供する機器と通信する。イベント１２０１では、ＵＥ装置１１０６は、ライセンスド上りリンク物理チャネル構造内でＰＵＣＣＨを用いて、ライセンスド周波数帯を介してライセンスドｅＮＢにリクエストを送信する。ライセンスドｅＮＢ１００４は、Ｘ２通信リンク１１０８を用いてアンライセンスドｅＮＢにリクエストを通信する。他のタイプのバックホールを使用してもよい。例えば、インターネット接続は、２つのｅＮＢ間で使用することができる。アンライセンスドｅＮＢ１１０２は、ライセンスドｅＮＢ１１０４に対してＵＥ装置に割り当てられるＰＵＳＣＨリソースの識別を行い、ライセンスドｅＮＢは、ライセンスド下りリンク物理チャネル構造のＰＤＣＣＨにおいて許可メッセージ１２０６を送信する。許可メッセージＰＤＣＣＨ１２０６は、ＵＥ装置１１０６によるデータ伝送用に割り当てられるアンライセンスド上りリンク物理チャネル構造のＰＵＳＣＨ内のリソースを識別する。イベント１２０８では、ＵＥ装置１１０６は、スケジューリングされた（割り当てられた）リソースを使用して、アンライセンスド周波数帯を介してデータをアンライセンスドｅＮＢ１１０２に送信する。イベント１２１０では、アンライセンスドｅＮＢは、バックホールを介して、ライセンスドｅＮＢ１１０４に肯定応答を示す情報を提供する。それに応じて、ライセンスドｅＮＢ１１０４は、イベント１２１２で、ＰＵＣＣＨ肯定応答をＵＥ装置１１０６に送信する。
【００６３】
図１３は、ｅＮＢ又はＵＥ装置のいずれか一方において実施される通信方法のフローチャートである。ステップの順番は、場合によっては、逆になってもよい。
【００６４】
ステップ１３０２では、通信機器（ｅＮＢ又はＵＥ装置）は、ライセンスド物理チャネル構造を用いてライセンスド周波数帯内で第１の信号を送信し、ライセンスド物理チャネル構造は、複数のシンボル時間と、ライセンスド周波数帯を分割する複数のサブキャリア分割と、から形成される第１の複数の時間−周波数通信リソースエレメントを含む。多くの場合、ｅＮＢ又はＵＥ装置は、他のライセンスド機器と通信しており、それにより、別のｅＮＢ又はＵＥ装置と信号を交換（送信及び受信）している。ライセンスド周波数帯内の上りリンク信号及び下りリンク信号の物理構造の例は、上述のとおりである。
【００６５】
ステップ１３０４では、通信機器（ｅＮＢ又はＵＥ装置）は、アンライセンスド物理チャネル構造を用いて、アンライセンスド周波数帯内で第２の信号を送信し、アンライセンスド物理チャネル構造は、複数のシンボル時間と、アンライセンスド周波数帯を分割する複数のサブキャリア分割と、から形成される第２の複数の時間−周波数通信リソースを含む。このため、ライセンスド周波数帯で通信を行った後、ｅＮＢ又はＵＥ装置は、アンライセンスド周波数帯と通信を行う。アンライセンスド周波数帯内の上りリンク信号及び下りリンク信号の物理構造の例は、上述のとおりである。
【００６６】
場合によっては、ライセンスド物理チャネル構造は、参照信号の送信用に割り当てられた時間−周波数通信ブロックの参照信号セットを含み、アンライセンスド物理チャネル構造もまた、参照信号の送信用に割り当てられた時間−周波数通信ブロックの参照信号セットを含み、アンライセンスド物理チャネル構造の参照信号セットは、ライセンスド物理チャネル構造内の参照信号セットと同じシンボル時間を有する。異なる周波数帯にあることから、サブキャリアの周波数が異なっているが、２つの参照信号セット用に使用される特定のサブキャリアの参照は、同じである。
【００６７】
更に、場合によっては、ライセンスド物理チャネル構造は、データの送信用に割り当てられた時間−周波数通信ブロックのデータ信号セットを含み、アンライセンスド物理チャネル構造は、データの送信用に割り当てられた時間−周波数通信リソースの第２のデータ信号セットを含む。アンライセンスド物理チャネル構造のデータ信号セットは、ライセンスド物理チャネル構造内のデータ信号セットと同じシンボル時間を有する。異なる周波数帯にあることから、サブキャリアの周波数が異なっているが、２つの参照信号セット用に使用される特定のサブキャリアの参照は、同じである。
【００６８】
本発明の他の実施形態及び変更例が、これらの教示を参酌して、当業者に容易に創作されることとなるのは明らかである。上述の記載は、例示的であり、限定的なものではない。本発明は、上記の明細書及び添付の図面に基づく実施形態及び変更例の全てを含む、以下の請求の範囲によってのみ限定されることとなる。従って、本発明の範囲は、上記の説明を参照して判定されるのではなく、均等物の全範囲と共に、添付される請求の範囲を参照して判定されるべきである。
【図１】
2017520151.tif 000004
【図２】
2017520151.tif 000005
【図３】
2017520151.tif 000006
【図４】
2017520151.tif 000007
【図５Ａ】
2017520151.tif 000008
【図５Ｂ】
2017520151.tif 000009
【図６】
2017520151.tif 000010
【図７】
2017520151.tif 000011
【図８】
2017520151.tif 000012
【図９】
2017520151.tif 000013
【図１０】
2017520151.tif 000014
【図１１】
2017520151.tif 000015
【図１２】
2017520151.tif 000016
【図１３】
2017520151.tif 000017
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
ライセンスド物理チャネル構造を用いてライセンスド周波数帯内で第１の信号を通信機器から送信することであって、前記ライセンスド物理チャネル構造は、複数のシンボル時間と、前記ライセンスド周波数帯を分割する複数のサブキャリア分割と、から形成される第１の複数の時間−周波数通信リソースエレメントを含む、ことと、
アンライセンスド物理チャネル構造を用いてアンライセンスド周波数帯内で第２の信号を前記通信機器から送信することであって、前記アンライセンスド物理チャネル構造は、前記複数のシンボル時間と、前記アンライセンスド周波数帯を分割する前記複数のサブキャリア分割と、から形成される第２の複数の時間−周波数通信リソースを含む、ことと、を含む、方法。
【請求項２】
前記ライセンスド物理チャネル構造は、参照信号の送信用に割り当てられた時間−周波数通信ブロックの第１の参照信号セットと、データの送信用に割り当てられた時間−周波数通信ブロックの第１のデータ信号セットと、を含み、
前記アンライセンスド物理チャネル構造は、参照信号の送信用に割り当てられた時間−周波数通信ブロックの第２の参照信号セットと、データの送信用に割り当てられた時間−周波数通信リソースの第２のデータ信号セットと、を含み、
前記第２の参照信号セットは、前記第１の参照信号セットと同じシンボル時間を有し、前記第２のデータ信号セットは、前記第１のデータ信号セットと同じシンボル時間を有する、請求項１に記載の方法。
【請求項３】
前記ライセンスド物理チャネル構造を用いて前記ライセンスド周波数帯内で前記第１の信号を送信することは、前記第１の信号を、前記ライセンスド物理チャネル構造の１つ又はそれ以上の時間−周波数通信リソースエレメントを介して送信することを含み、
前記アンライセンスド物理チャネル構造を用いて前記アンライセンスド周波数帯内で前記第２の信号を送信することは、前記第２の信号を、前記アンライセンスド物理チャネル構造の１つ又はそれ以上の時間−周波数通信リソースを介して送信することを含み、
前記ライセンスド物理チャネル構造の前記１つ又はそれ以上の時間−周波数通信リソースエレメントのうち少なくとも１つは、前記アンライセンスド物理チャネル構造の前記１つ又はそれ以上の時間−周波数通信リソースエレメントのうち前記少なくとも１つとは異なる、請求項２に記載の方法。
【請求項４】
前記アンライセンスド物理チャネル構造は、前記アンライセンスド周波数帯の監視用に割り当てられた時間−周波数通信リソースのチャネルアクセス管理セットを含み、
前記チャネルアクセス管理セットは、少なくとも１つのシンボル時間の持続時間を有し、
前記方法は、前記持続時間のうち少なくとも一部分の間、前記アンライセンスド周波数帯を監視することを更に含む、請求項３に記載の方法。
【請求項５】
前記持続時間内のバックオフ期間中、前記第２の信号の送信を控えることを更に含む、請求項４に記載の方法。
【請求項６】
前記アンライセンスド物理チャネル構造は、プリアンブルの送信用に割り当てられた時間−周波数通信リソースのプリアンブルセットを更に含み、前記時間−周波数通信リソースのプリアンブルセットは、前記時間−周波数通信リソースのチャネルアクセス管理セットと前記時間−周波数通信リソースの第２のデータ信号セットとの間にある、請求項３に記載の方法。
【請求項７】
前記通信機器は、ｅＮｏｄｅ  Ｂ（ｅＮＢ）であり、前記ライセンスド物理チャネル構造は、第３世代パートナシッププロジェクト・ロング・ターム・エボリューション（３ＧＰＰ  ＬＴＥ）通信仕様のうち少なくとも１つの改訂版に準拠している下りリンク物理チャネル構造である、請求項３に記載の方法。
【請求項８】
前記下りリンク物理チャネル構造は、下りリンク制御情報の送信用に割り当てられた時間−周波数通信リソースの物理下りリンク制御チャネル（ＰＤＣＣＨ）セットを含み、前記ＰＤＣＣＨセットは、ＰＤＣＣＨシンボル時間によって形成され、
前記時間−周波数通信リソースのチャネルアクセス管理セットは、前記ＰＤＣＣＨシンボル時間のうち少なくとも１つによって形成されている、請求項７に記載の方法。
【請求項９】
前記アンライセンスド物理チャネル構造は、他の下りリンク制御情報の送信用に割り当てられた時間−周波数通信リソースの制御セットを更に含む、請求項８に記載の方法。
【請求項１０】
前記通信機器は、ユーザ機器（ＵＥ）装置であり、前記ライセンスド物理チャネル構造は、第３世代パートナシッププロジェクト・ロング・ターム・エボリューション（３ＧＰＰ  ＬＴＥ）通信仕様のうち少なくとも１つの改訂版に準拠している上りリンク物理チャネル構造である、請求項３に記載の方法。
【請求項１１】
前記上りリンク物理チャネル構造は、上りリンク制御情報の送信用に割り当てられた時間−周波数通信リソースの物理上りリンク制御チャネル（ＰＵＣＣＨ）セットを含み、前記ＰＵＣＣＨセットは、ＰＵＣＣＨシンボル時間によって形成され、
前記時間−周波数通信リソースのチャネルアクセス管理セットは、前記ＰＵＣＣＨシンボル時間のうち少なくとも１つによって形成されている、請求項１０に記載の方法。
【請求項１２】
前記アンライセンスド物理チャネル構造は、他の上りリンク制御情報の送信用に割り当てられた時間−周波数通信リソースの制御セットを更に含む、請求項１１に記載の方法。
【請求項１３】
前記アンライセンスド物理チャネル構造は、サウンド参照信号（ＳＲＳ）の送信用に割り当てられた時間−周波数通信リソースのＳＲＳセットを含む、請求項１０に記載の方法。
【請求項１４】
ライセンスド物理チャネル構造を用いてライセンスド周波数帯内で第１の信号を送信するように構成されている第１の送信部であって、前記ライセンスド物理チャネル構造は、複数のシンボル時間と、前記ライセンスド周波数帯を分割する複数のサブキャリア分割と、から形成される第１の複数の時間−周波数通信リソースエレメントを含む、第１の送信部と、
アンライセンスド物理チャネル構造を用いてアンライセンスド周波数帯内で第２の信号を送信するように構成されている第１の送信部であって、前記アンライセンスド物理チャネル構造は、前記複数のシンボル時間と、前記アンライセンスド周波数帯を分割する前記複数のサブキャリア分割と、から形成される第２の複数の時間−周波数通信リソースを含む、第２の送信部と、を備える、ユーザ機器（ＵＥ）装置。
【請求項１５】
前記ライセンスド物理チャネル構造は、参照信号の送信用に割り当てられた時間−周波数通信ブロックの第１の参照信号セットと、データの送信用に割り当てられた時間−周波数通信ブロックの第１のデータ信号セットと、を含み、
前記アンライセンスド物理チャネル構造は、参照信号の送信用に割り当てられた時間−周波数通信ブロックの第２の参照信号セットと、データの送信用に割り当てられた時間−周波数通信リソースの第２のデータ信号セットと、を含み、前記第２の参照信号セットは、前記第１の参照信号セットと同じシンボル時間を有し、前記第２のデータ信号セットは、前記第１のデータ信号セットと同じシンボル時間を有する、請求項１４に記載のＵＥ装置。
【請求項１６】
前記第１の送信部は、前記ライセンスド物理チャネル構造を用いて前記ライセンスド周波数帯内で前記第１の信号を送信するように構成され、前記第１の信号を、前記ライセンスド物理チャネル構造の１つ又はそれ以上の時間−周波数通信リソースエレメントを介して送信することを含み、前記第２の送信部は、前記アンライセンスド物理チャネル構造を用いて前記アンライセンスド周波数帯内で前記第２の信号を送信するように構成され、前記第２の信号を、前記アンライセンスド物理チャネル構造の１つ又はそれ以上の時間−周波数通信リソースを介して送信することを含み、前記ライセンスド物理チャネル構造の前記１つ又はそれ以上の時間−周波数通信リソースエレメントのうち少なくとも１つは、前記アンライセンスド物理チャネル構造の前記１つ又はそれ以上の時間−周波数通信リソースエレメントのうち前記少なくとも１つとは異なる、請求項１５に記載のＵＥ装置。
【請求項１７】
前記アンライセンスド物理チャネル構造は、前記アンライセンスド周波数帯の監視用に割り当てられた時間−周波数通信リソースのチャネルアクセス管理セットを含み、前記チャネルアクセス管理セットは、少なくとも１つのシンボル時間の持続時間を有し、前記持続時間のうち少なくとも一部分の間、前記アンライセンスド周波数帯を監視することを更に含む、請求項１６に記載のＵＥ装置。
【請求項１８】
ライセンスド物理チャネル構造を用いてライセンスド周波数帯内で第１の信号を送信するように構成されている第１の送信部であって、前記ライセンスド物理チャネル構造は、複数のシンボル時間と、前記ライセンスド周波数帯を分割する複数のサブキャリア分割と、から形成される第１の複数の時間−周波数通信リソースエレメントを含む、第１の送信部と、
アンライセンスド物理チャネル構造を用いてアンライセンスド周波数帯内で第２の信号を送信するように構成されている第１の送信部であって、前記アンライセンスド物理チャネル構造は、前記複数のシンボル時間と、前記アンライセンスド周波数帯を分割する前記複数のサブキャリア分割と、から形成される第２の複数の時間−周波数通信リソースを含む、第２の送信部と、を備える、ｅＮＢ。
【請求項１９】
前記ライセンスド物理チャネル構造は、参照信号の送信用に割り当てられた時間−周波数通信ブロックの第１の参照信号セットと、データの送信用に割り当てられた時間−周波数通信ブロックの第１のデータ信号セットと、を含み、
前記アンライセンスド物理チャネル構造は、参照信号の送信用に割り当てられた時間−周波数通信ブロックの第２の参照信号セットと、データの送信用に割り当てられた時間−周波数通信リソースの第２のデータ信号セットと、を含み、前記第２の参照信号セットは、前記第１の参照信号セットと同じシンボル時間を有し、前記第２のデータ信号セットは、前記第１のデータ信号セットと同じシンボル時間を有する、請求項１８に記載のｅＮＢ。
【請求項２０】
前記第１の送信部は、前記ライセンスド物理チャネル構造を用いて前記ライセンスド周波数帯内で前記第１の信号を送信するように構成され、前記第１の信号を、前記ライセンスド物理チャネル構造の１つ又はそれ以上の時間−周波数通信リソースエレメントを介して送信することを含み、前記第２の送信部は、前記アンライセンスド物理チャネル構造を用いて前記アンライセンスド周波数帯内で前記第２の信号を送信するように構成され、前記第２の信号を、前記アンライセンスド物理チャネル構造の１つ又はそれ以上の時間−周波数通信リソースを介して送信することを含み、前記ライセンスド物理チャネル構造の前記１つ又はそれ以上の時間−周波数通信リソースエレメントのうち少なくとも１つは、前記アンライセンスド物理チャネル構造の前記１つ又はそれ以上の時間−周波数通信リソースエレメントのうち前記少なくとも１つとは異なる、請求項１９に記載のｅＮＢ。
【請求項２１】
前記アンライセンスド物理チャネル構造は、前記アンライセンスド周波数帯の監視用に割り当てられた時間−周波数通信リソースのチャネルアクセス管理セットを含み、前記チャネルアクセス管理セットは、少なくとも１つのシンボル時間の持続時間を有し、前記持続時間のうち少なくとも一部分の間、前記アンライセンスド周波数帯を監視することを更に含む、請求項２０に記載のｅＮＢ。
【手続補正２】
【補正対象書類名】明細書
【補正対象項目名】００３０
【補正方法】変更
【補正の内容】
【００３０】
本明細書の例では、ライセンスド機器１０４、１０６、１０８、１１０は、アンライセンスド装置（場合によっては、アンライセンスド周波数帯を用いる他のライセンスド装置）間での通信の干渉を回避する、又は干渉が少なくとも許容水準となると判断された時間に、アンライセンスド周波数帯を通信のために用いる。送信前にアンライセンスド周波数帯を監視して、本周波数帯が現在使用中かどうかを判断する。本周波数帯が使用中でないと判断された場合、ライセンスド機器は、アンライセンスド周波数帯内で信号を送信する。図１の例では、点線の矢印が、ライセンスドシステム機器によるアンライセンスド周波数帯内の送信を示す。いくつかのシナリオでは、ＵＥ装置１０８、１１０は、アンライセンスド周波数帯内で信号１２２、１２４をｅＮＢ１０４に送信する。信号１２２、１２４は、信号のパワーレベルに応じて、十分に接近しているアンライセンスド装置に到達する。例えば、１つのＵＥ装置１０８からの信号１２２は、アクセスポイント１１２及びアンライセンスドモバイル装置１１４に到達してもよく、第２のＵＥ装置１１０からの信号１２４は、アンライセンスドモバイル装置１１６、１１８に到達してもよい。別のシナリオでは、ｅＮＢ１０４は、アンライセンスド周波数帯内で信号１２６を１つ又はそれ以上のＵＥ装置１１０に送信し、信号１２６は、アンライセンスドモバイル装置１１６、１１８に到達してもよい。アンライセンスドモバイル装置１１８は、場合によっては、ライセンスドサービスエリア１０２外であってもよい。ＵＥ装置１０８による送信が行われる前に、エネルギに関してアンライセンスド周波数帯を監視するため、アンライセンスド装置での干渉が減少する。加えて、アンライセンスド装置による送信が原因であるライセンスド装置での干渉もまた減少する。
【手続補正３】
【補正対象書類名】明細書
【補正対象項目名】００３２
【補正方法】変更
【補正の内容】
【００３２】
ライセンスド周波数帯送受信部２０２は、ライセンスド周波数帯内で上りリンク無線信号をｅＮＢへ送信する送信部及びｅＮＢから下りリンク無線信号を受信する受信部を備える。送受信部はまた、割り当てられたライセンスド上りリンク通信リソースを使用して、Ｄ２Ｄ信号を送受信するように構成され得る。制御部２０４は、ＵＥ装置２００の構成要素を制御して、本明細書に記載される装置２００の機能を管理し、かつ装置２００の全体的な機能性を簡易化する。制御部２０４は、送受信部２０２、２０６及びメモリなどの他の構成要素に接続される。
【手続補正４】
【補正対象書類名】明細書
【補正対象項目名】００３４
【補正方法】変更
【補正の内容】
【００３４】
図４は、少なくともフレーム、サブフレーム、タイムスロット、及びシンボル時間（期間）を含むタイミング構造４００を示す図である。図４の図は、相対的タイミング構造を示す周波数−時間グラフであり、これらは必ずしも尺度どおりではなく、例示的な視覚表示を提示しているものにすぎない。システムによって使用されるタイミング構造は、典型的には、システムが動作する通信仕様と、周波数帯の規則とに、少なくとも部分的に基づいている。システムのタイミング構造（タイミングスキーム）を構築するために、多数の方法で時間を編成することができる。本明細書の例としては、時間は、少なくともフレーム４０２、サブフレーム４０４、４０８、４１０、タイムスロット４１２、４１４、及びシンボル時間４１６に編成される。
【手続補正５】
【補正対象書類名】明細書
【補正対象項目名】００３６
【補正方法】変更
【補正の内容】
【００３６】
図５Ａは、ライセンスド周波数帯５０４内でライセンスドシステム（ライセンスド機器）によって使用されるタイミング及びタイミング構造がアンライセンスド周波数帯５０２内での通信に使用される、アンライセンスド周波数帯５０２及びライセンスド周波数帯５０４の図である。図５Ａ及び図５Ｂの図は、周波数−時間グラフ５００、５３０であり、アンライセンスド周波数帯５０２に適用される、ライセンスド周波数帯５０４のタイミング構造及びタイミングを示す。グラフ５００、５３０は、必ずしも尺度通りに記述されているものではなく、例示的な視覚表示を提供するにすぎない。ライセンスド周波数帯内のライセンスドシステムによって使用されるタイミングは、システムが動作する通信仕様と、周波数帯の規則とに、少なくとも部分的に基づいている。システムのタイミング構造（タイミングスキーム）を構築するために、多数の方法で時間を編成することができる。本明細書の例としては、時間は、少なくともフレーム４０２、サブフレーム４０４、４０８、４１０、タイムスロット４１２、４１４、及びシンボル時間４１６に編成される。例としては、ライセンスド周波数帯５０４に使用されるタイミング及びタイミング構造は、１つ又はそれ以上の３ＧＰＰ  ＬＴＥ通信仕様のリリースに準拠する。
【手続補正６】
【補正対象書類名】明細書
【補正対象項目名】００３７
【補正方法】変更
【補正の内容】
【００３７】
フレーム４０２は、少なくとも第１のサブフレーム（Ｋ）４０４及び第２のサブフレーム（Ｋ＋１）４０８を含む、複数のサブフレームを含む。ＬＴＥシステムについては、上記のように、各フレームは、１０のサブフレームを含み、各サブフレームは、２のタイムスロットを含む。タイムスロットは、シンボル時間に更に分割され、ＬＴＥ通信仕様では、各タイムスロットは７、のシンボル時間４１６を含む。以下に詳細に議論するように、周波数帯５０２、５０４は、サブキャリアに分割され、シンボル時間とサブキャリアとの組み合わせがリソースエレメントを画定する物理チャネル構造の周波数構造を形成する。他のタイミングスキーム及び構造を、ライセンスド周波数帯５０４で使用してもよい。
【手続補正７】
【補正対象書類名】明細書
【補正対象項目名】００４１
【補正方法】変更
【補正の内容】
【００４１】
図６は、タイミング構造内の単一のタイムスロット４１２の周波数構造を示す図である。本明細書に記載の例では、通信のために使用される周波数帯６０２は、サブキャリア６０６を形成する複数の均等部分６０４に分割される。リソースエレメント６０８は、１つのシンボル時間４１６及び１つのサブキャリア６０６によって形成される。本明細書に記載の例では、リソースエレメントは、通信用に割り当てられる最小の時間−周波数通信リソースである。リソースエレメント６０８は、タイムスロット内の各１２のサブキャリアがリソースブロック６１０、６１２、６１４を形成するリソースブロックに編成される。したがって、周波数帯６０２は、リソースブロック１  ６１０〜リソースブロックＮ  ６１４までの複数のリソースブロックを含む。周波数帯６０２内のリソースブロックの数（Ｎ）は、典型的には、周波数帯６０２の帯域幅に依存する。例えば、ＬＴＥ仕様の少なくともいくつかの改訂版により、１．４、３、５、１０、１５、及び２０ＭＨｚの帯域幅を有する周波数帯に関して、異なる数のリソースブロックが提供されている。ＬＴＥでは、ＬＴＥにおける下りリンク周波数帯は、送信はされないが、サブキャリア数として数えられるＤＣサブキャリアを含む。上りリンク周波数帯では、ＤＣサブキャリアは、存在しないが、これは、全スペクトルがサブキャリアの間隙の半分だけ周波数内で下方に移動し、約ゼロの周波数で対称的になるためである。次表１には、ＬＴＥ内の異なる帯域幅でのサブキャリア及びリソースブロックの割り当て例を提示する。
【手続補正８】
【補正対象書類名】明細書
【補正対象項目名】００４４
【補正方法】変更
【補正の内容】
【００４４】
ライセンスド物理チャネル構造７０２及びアンライセンスド物理チャネル構造７０６は、周波数リソース及び時間リソースを分割して、複数の、通信エレメント、通信リソースエレメント及び他の用語として称されることもある時間−周波数通信リソース（リソースエレメント）７１０、７１８を形成する。上記のように、物理チャネル構造は、時間をフレーム、サブフレーム、タイムスロット及びシンボル時間に分割するタイミング構造と、周波数帯をサブキャリアに分割する周波数構造とを含む。このため、ライセンスド周波数帯７０４は、複数のサブキャリア７１４に分割される。周波数帯内のサブキャリア数は、チャネル帯域幅に依存する可能性があり、また、グループに編成され得る。例えば、上述のとおり、３ＧＰＰ  ＬＴＥ通信仕様では、リソースブロックの数がチャネル帯域幅に依存するリソースブロック内で１２のサブキャリアを特定している。ＬＴＥでは上りリンクがＳＣ−ＦＤＭＡであるが、周波数は、サブキャリアに分割されると考えることができる。これは、上りリンクでは、離散的フーリエ変換プリコーディングが使用されるためである。したがって、図７に示す提示は、概して、ＬＴＥに準拠している上りリンク通信に適用する。
【手続補正９】
【補正対象書類名】明細書
【補正対象項目名】００６１
【補正方法】変更
【補正の内容】
【００６１】
図１１は、ライセンスド機器が、アンライセンスド周波数帯で、アンライセンスド下りリンク物理チャネル構造を用いてデータを送信する一例に関するメッセージダイアグラムである。図１１の例では、アンライセンスド周波数帯を用いるｅＮＢ１１０２は、ライセンスド周波数帯を用いるｅＮＢ１１０４と同調されているか、又は同じｅＮＢであるかのいずれかである。このため、ライセンスドセルをＵＥ装置１１０６に提供する機器は、ＵＥ装置１１０６にアンライセンスドセルを提供する同じ機器であるか、あるいはアンライセンスドセルを提供する機器と通信する。アンライセンスドｅＮＢ１１０２は、Ｘ２通信リンク１１０８を用いて、ライセンスドｅＮＢと通信する。他のタイプのバックホールを使用してもよい。例えば、インターネット接続は、２つのｅＮＢ間で使用することができる。ｅＮＢは、通信リンクを介して、周波数割り当てを調整することができる。イベント１１１０では、ライセンスドｅＮＢは、ライセンスド周波数帯内においてＰＤＣＣＨを介してＵＥ装置１１０６にメッセージを送信する。ＰＤＣＣＨメッセージは、アンライセンスド周波数帯内でＵＥ装置１１０６にデータを送信するために、アンライセンスド下りリンク物理チャネル構造のＰＤＳＣＨ内で使用されるであろう通信リソースの表示又は識別を少なくとも含む。イベント１１１２では、アンライセンスドｅＮＢは、アンライセンスド下りリンク物理チャネル構造のＰＤＳＣＨ内でＵＥ装置１１０６にデータを送信する。イベント１１１４では、ＵＥ装置１１０６は、ライセンスド上りリンク物理チャネル構造内のＰＵＣＣＨ内で肯定応答によりＰＤＳＣＨメッセージに応答する。イベント１１１６では、肯定応答は、バックホールを介してライセンスドｅＮＢ１１０４から、アンライセンスドｅＮＢ１１０２に中継される。
【手続補正１０】
【補正対象書類名】明細書
【補正対象項目名】００６２
【補正方法】変更
【補正の内容】
【００６２】
図１２は、ライセンスド機器が、アンライセンスド周波数帯で、アンライセンスド上りリンク物理チャネル構造を用いてデータを送信する一例に関するメッセージダイアグラムである。図１２の例では、アンライセンスド周波数帯を用いるｅＮＢ１１０２は、ライセンスド周波数帯を用いるｅＮＢ１１０４と同調されているか、又は同じｅＮＢであるかのいずれかである。このため、ライセンスドセルをＵＥ装置１１０６に提供する機器は、ＵＥ装置１１０６にアンライセンスドセルを提供する同じ機器であるか、あるいはアンライセンスドセルを提供する機器と通信する。イベント１２０２では、ＵＥ装置１１０６は、ライセンスド上りリンク物理チャネル構造内でＰＵＣＣＨを用いて、ライセンスド周波数帯を介してライセンスドｅＮＢにリクエストを送信する。ライセンスドｅＮＢ１１０４は、Ｘ２通信リンク１２０４を用いてアンライセンスドｅＮＢにリクエストを通信する。他のタイプのバックホールを使用してもよい。例えば、インターネット接続は、２つのｅＮＢ間で使用することができる。アンライセンスドｅＮＢ１１０２は、ライセンスドｅＮＢ１１０４に対してＵＥ装置に割り当てられるＰＵＳＣＨリソースの識別を行い、ライセンスドｅＮＢは、ライセンスド下りリンク物理チャネル構造のＰＤＣＣＨにおいて許可メッセージ１２０６を送信する。許可メッセージＰＤＣＣＨ１２０６は、ＵＥ装置１１０６によるデータ伝送用に割り当てられるアンライセンスド上りリンク物理チャネル構造のＰＵＳＣＨ内のリソースを識別する。イベント１２０８では、ＵＥ装置１１０６は、スケジューリングされた（割り当てられた）リソースを使用して、アンライセンスド周波数帯を介してデータをアンライセンスドｅＮＢ１１０２に送信する。イベント１２１０では、アンライセンスドｅＮＢは、バックホールを介して、ライセンスドｅＮＢ１１０４に肯定応答を示す情報を提供する。それに応じて、ライセンスドｅＮＢ１１０４は、イベント１２１２で、ＰＵＣＣＨ肯定応答をＵＥ装置１１０６に送信する。
【国際調査報告】
2017520151.tif 000018
2017520151.tif 000019